(57)【要約】【課題】防災情報を繰り返し受信する場合に、防災情報を効率的に報知する、防災情報の受信が可能な画像形成装置を提供する。【解決手段】ＭＦＰ１００は、防災情報を受信する無線受信部２０２を備える。ＭＦＰ１００は、防災情報を印刷部２０５及びＵＩ部２０６を用いて報知する。ＭＦＰ１００は、防災情報に応じた第１の報知形態で防災情報を報知し、防災情報を所定の時間以内に繰り返し受信する場合には、第１の報知形態とは異なる第２の報知形態で防災情報を報知する。【選択図】図２
2017098597.tif 000002
【特許請求の範囲】
【請求項１】
防災情報を受信する無線受信手段と、
前記防災情報を報知する報知手段と、
前記防災情報に応じた第１の報知形態で前記防災情報を前記報知手段に報知させ、同じ内容の前記防災情報を所定の時間以内に繰り返し受信する場合には、前記第１の報知形態とは異なる第２の報知形態で前記防災情報を前記報知手段に報知させる制御手段と、を備えることを特徴とする、
画像形成装置。
【請求項２】
受信した前記防災情報を格納する受信データ格納手段をさらに備え、
前記制御手段は、前記受信データ格納手段に格納される前回受信した前記防災情報と、今回受信した防災情報との比較により、前記防災情報を所定の時間以内に繰り返し受信したかを判断することを特徴とする、
請求項１記載の画像形成装置。
【請求項３】
前記制御手段は、前記前回受信した防災情報に設定される重要度及びその本文と、前記今回受信した防災情報に設定される重要度及びその本文とが同じであれば、前記防災情報を所定の時間以内に繰り返し受信したと判断することを特徴とする、
請求項２記載の画像形成装置。
【請求項４】
前記制御手段は、前記前回受信した防災情報に設定される重要度及びその本文に含まれるキーワードと、前記今回受信した防災情報に設定される重要度及びその本文に含まれるキーワードとが同じであれば、前記防災情報を所定の時間以内に繰り返し受信したと判断することを特徴とする、
請求項２又は３記載の画像形成装置。
【請求項５】
前記第１の報知形態を設定する第１の設定情報及び前記第２の報知形態を設定する第２の設定情報を格納する設定情報格納手段をさらに備え、
前記制御手段は、前記第１の設定情報に基づいて前記防災情報を前記第１の報知形態で前記報知手段に報知させ、前記防災情報を所定の時間以内に繰り返し受信する場合には、前記第２の設定情報に基づいて前記防災情報を前記第２の報知形態で前記報知手段に報知させることを特徴とする、
請求項１〜４のいずれか１項記載の画像形成装置。
【請求項６】
前記設定情報格納手段は、前記防災情報の重要度に応じて前記第１の設定情報が設定され、
前記制御手段は、前記防災情報を、当該重要度に応じた前記第１の設定情報に基づく前記第１の報知形態で前記報知手段に報知させることを特徴とする、
請求項５記載の画像形成装置。
【請求項７】
前記制御手段は、前回受信した防災情報とは内容が異なる防災情報を受信すると、これらの防災情報の差異に応じて前回受信した防災情報の報知形態を変更し、変更した報知形態で今回の防災情報を前記報知手段に報知させることを特徴とする、
請求項１〜６のいずれか１項記載の画像形成装置。
【請求項８】
前記報知手段は、前記防災情報に関連した画像を印刷出力する印刷手段を含み、
前記制御手段は、前記第２の報知形態では前記画像を前記印刷手段に印刷出力させないことを特徴とする、
請求項１〜７のいずれか１項記載の画像形成装置。
【請求項９】
防災情報を受信する無線受信手段と、前記防災情報を報知する報知手段と、受信した前記防災情報を格納する受信データ格納手段と、を備える装置により実行される方法であって、
前記無線受信手段が前記防災情報を受信すると、前記受信データ格納手段に前回受信した防災情報が格納されているか否かを判断し、
前記前回受信した防災情報が格納されている場合に、今回受信した前記防災情報と前記前回受信した防災情報との類似判定を行い、
類似判定の結果、今回受信した前記防災情報と前記前回受信した防災情報とが類似していなければ、今回受信した前記防災情報に応じた第１の報知形態で、今回受信した前記防災情報を前記報知手段により報知し、
類似判定の結果、今回受信した前記防災情報と前記前回受信した防災情報とが類似していれば、前記第１の報知形態とは異なる第２の報知形態で、今回受信した前記防災情報を前記報知手段により報知することを特徴とする、
防災情報の報知方法。
【請求項１０】
防災情報を受信する無線受信手段と、前記防災情報を報知する報知手段と、受信した前記防災情報を格納する受信データ格納手段と、を備えるコンピュータに、
前記無線受信手段が前記防災情報を受信すると、前記受信データ格納手段に前回受信した防災情報が格納されているか否かを判断する処理、
前記前回受信した防災情報が格納されている場合に、今回受信した前記防災情報と前記前回受信した防災情報との類似判定を行う処理、
類似判定の結果、今回受信した前記防災情報と前記前回受信した防災情報とが類似していなければ、今回受信した前記防災情報に応じた第１の報知形態で、今回受信した前記防災情報を前記報知手段により報知する処理、
類似判定の結果、今回受信した前記防災情報と前記前回受信した防災情報とが類似していれば、前記第１の報知形態とは異なる第２の報知形態で、今回受信した前記防災情報を前記報知手段により報知する処理、
を実行させるためのコンピュータプログラム。
【請求項１１】
請求項１０記載のコンピュータプログラムを記憶するコンピュータで読み取り可能な記憶媒体。
【発明の詳細な説明】
【技術分野】
【０００１】
本発明は、防災無線の受信機能を有した複合機等の画像形成装置に関する。
【背景技術】
【０００２】
デジタル同報無線システムを使用した防災無線システムがある。デジタル同報無線システムでは、防災情報が、各所に配置された送信機により２８０［ＭＨｚ］の電波を使用して配信される。住民は、２８０［ＭＨｚ］の電波専用のチャンネルを持った防災無線ラジオを所持する。防災無線ラジオは、防災情報を受信して、音声や光の点滅により受信した防災情報の内容を住民に報知する。
防災無線ラジオのような防災無線の受信機は、個人の住宅に設置して使用することを考慮されている。しかし、昼間は多くの人がオフィスで働いているために、防災情報をオフィス内の人に報知する受信機が必要とされている。また、デジタル同報無線システムでは、２８０［ＭＨｚ］の電波を使用するために、オフィス等の建物内への防災情報の報知に向いている。
【０００３】
防災無線の受信機として、高機能の画像形成装置（以下、「ＭＦＰ：Multi Function Peripheral」という。）を用いることが検討されている。これは、ＭＦＰのオフィスへの普及率が高いためである。また、ＭＦＰは、防災情報を音で報知するためのスピーカ、光の点滅のための発光部、防災情報を文字により表示するための表示部等の報知手段を、ユーザインタフェースとして標準装備している。そのためにＭＦＰは、専用の受信機を導入する場合に比べて、導入コストや設置場所の点で防災無線の受信機に適している。また、災害発生時には、停電や携帯端末からの基地局へのアクセス集中等により、パーソナルコンピュータや携帯端末による情報収集が困難になることが予想される。このような場合、ＭＦＰは、防災情報の報知の他に、周辺の地域や避難経路を示した地図や、オフィス内の社員名簿や所在の確認リスト等を紙に印刷出力することで、ユーザに有益な情報を確保することができる。特許文献１は、このようなＭＦＰの発明を開示する。このＭＦＰは、緊急時に起動し、ネットワーク上から情報を収集して印刷する際のレイアウト等の最適化を行い出力する。このようにデジタル同報無線システムの受信機能をＭＦＰに搭載することは、非常に有用である。
【先行技術文献】
【特許文献】
【０００４】
【特許文献１】特開２０１５−２２７３９号公報
【発明の概要】
【発明が解決しようとする課題】
【０００５】
しかしながら、同じ内容の防災情報が繰り返し配信される場合、画像形成装置は、その都度、同じ内容を紙に印刷して報知することがある。これは無駄な印刷動作が行われて、紙が無駄になることになる。
【０００６】
本発明は、上記の問題を解決するために、防災情報を繰り返し受信する場合に、防災情報を効率的に報知する、防災情報の受信が可能な画像形成装置を提供することを主たる課題とする。
【課題を解決するための手段】
【０００７】
本発明の画像形成装置は、防災情報を受信する無線受信手段と、前記防災情報を報知する報知手段と、前記防災情報に応じた第１の報知形態で前記防災情報を前記報知手段に報知させ、同じ内容の前記防災情報を所定の時間以内に繰り返し受信する場合には、前記第１の報知形態とは異なる第２の報知形態で前記防災情報を前記報知手段に報知させる制御手段と、を備えることを特徴とする。
【発明の効果】
【０００８】
本発明によれば、防災情報を繰り返し受信する場合には、防災情報に応じた第１の報知形態とは異なる第２の報知形態で該防災情報を報知するために、防災情報の効率的な報知が可能となる。
【図面の簡単な説明】
【０００９】
【図１】防災無線システムの構成図。
【図２】ＭＦＰの構成図。
【図３】コントローラ部の具体的な構成例示図。
【図４】ＵＩ部の具体的な構成例示図。
【図５】（ａ）〜（ｃ）は受信データの説明図。
【図６】防災情報受信時の動作を設定する処理を表すフローチャート。
【図７】各重要度の防災情報の報知形態の設定処理を表すフローチャート。
【図８】報知形態の設定項目の説明図。
【図９】防災情報を繰り返し受信するとき報知形態の設定処理を表すフローチャート。
【図１０】報知形態の設定項目の説明図。
【図１１】防災情報受信時の動作を表すフローチャート。
【図１２】類似判定処理を表すフローチャート。
【図１３】キーワードの例示図。
【図１４】防災情報を繰り返し受信するときのタイミングチャート。
【図１５】防災情報の表示例示図。
【図１６】防災情報を繰り返し受信するときのタイミングチャート。
【図１７】（ａ）、（ｂ）は防災情報の表示例示図。
【発明を実施するための形態】
【００１０】
以下、添付図面を参照して本発明の実施形態を詳しく説明する。
【００１１】
（構成）
図１は、本実施形態の画像形成装置を含む防災無線システムの構成図である。この防災無線システムは、デジタル同報無線システムを使用しており、複数の情報発信元端末２００１〜２００３、情報配信サーバ４００、送信局６００、及び高機能の画像形成装置であるＭＦＰ１００を備える。情報発信元端末２００１〜２００３と情報配信サーバ４００とは、インターネット等の公衆通信回線３００を介して相互に通信可能に接続される。情報配信サーバ４００と送信局６００とは、光回線や衛星回線等を用いた専用回線５００により通信可能に接続される。
【００１２】
情報発信元端末２００１〜２００３は、防災無線システムにおける防災情報等の情報の発信源となる。情報発信元端末２００１〜２００３は、図１では３つしか図示していないが、実際には多数設けられる。各情報発信元端末２００１〜２００３は、公衆通信回線３００を介して、情報配信サーバ４００へ防災情報等の情報を送信する。情報配信サーバ４００は、公衆通信回線３００を介して、各情報発信元端末２００１〜２００３から受信した防災情報等の情報を、専用回線５００を介して送信局６００へ送信する。送信局６００は、専用回線５００を介して情報配信サーバ４００から受信した防災情報等の情報を、例えば２８０［ＭＨｚ］の電波を用いて、無線通信によりＭＦＰ１００へ配信する。
【００１３】
ＭＦＰ１００は、図１では２つしか図示していないが、実際には多数のＭＦＰ１００が設けられる。各ＭＦＰ１００は、送信局６００から配信される防災情報を受信する。ＭＦＰ１００は、受信した防災情報をユーザに報知する。図２は、ＭＦＰ１００の構成図である。ＭＦＰ１００は、アンテナ２０１、無線受信部２０２、コントローラ部２０３、読取部２０４、印刷部２０５、ＵＩ（User Interface）部２０６、及び電源制御部２０７を備える。
【００１４】
アンテナ２０１は、送信局６００から送出される無線通信の電波を受信して、無線受信部２０２に入力する。無線受信部２０２は、アンテナ２０１から入力される電波により、送信局６００から配信される防災情報を受信する。無線受信部２０２は、アンテナ２０１から入力される電波に基づいて、防災情報を表すデジタルデータである受信データを生成する。受信データは、コントローラ部２０３に入力される。また、無線受信部２０２は、送信局６００から電波を受信したことを表す受信通知信号を生成して、電源制御部２０７に入力する。
【００１５】
電源制御部２０７は、コントローラ部２０３、読取部２０４、印刷部２０５、及びＵＩ部２０６等のＭＦＰ１００内の各部への電源供給を制御する。例えば、電源制御部２０７は、スリープモードのようなＭＦＰ１００の各部への電源供給をセーブした状態で受信通知信号が入力されると、これを契機にして各部への電源供給を再開する。
【００１６】
コントローラ部２０３は、読取部２０４、印刷部２０５、及びＵＩ部２０６の動作を制御する。コントローラ部２０３は、例えばＣＰＵ（Central Processing Unit）で構成される。この他に、コントローラ部２０３は、ＡＳＩＣ（Application Specific Integrated Circuit）、ＦＰＧＡ（Field-Programmable Gate Array）等で構成されてもよい。コントローラ部２０３は、例えばＣＰＵがコンピュータプログラムを読み込んで実行することにより、防災情報の報知に関する各種の機能及び処理を実現する。
【００１７】
読取部２０４は、例えばスキャナであり、原稿から原稿画像を光学的に読み取り、読み取った原稿画像を表すデジタル信号である画像信号を生成する。読取部２０４は、生成した画像信号をコントローラ部２０３に入力する。読取部２０４は、コントローラ部２０３から入力される読取部制御信号により、動作が制御される。
【００１８】
印刷部２０５は、画像形成部であり、コントローラ部２０３から入力される画像信号に基づいて、インクやトナー等を使用して用紙に画像形成して出力する。印刷部２０５は、コントローラ部２０３から入力される印刷部制御信号により、動作が制御される。
【００１９】
ＵＩ部２０６は、ユーザとのインタフェースであり、入力部及び出力部を備える。入力部は、ユーザがＭＦＰ１００に対して各種設定を行うボタン、スイッチ、テンキー等である。出力部は、ＭＦＰ１００の状態や設定画面の表示を行う表示部、ＬＥＤ（Light Emitting Diode）等の発光部、スピーカ等である。なお表示部は、表示面に透明のタッチパッドが形成されて、入出力装置であるタッチパネルを構成する。ＵＩ部２０６は、コントローラ部２０３から入力されるＵＩ制御信号により、動作が制御される。
【００２０】
このような構成のＭＦＰ１００は、例えばコピー動作を行う場合、ＵＩ部２０６による入力に基づいて、コントローラ部２０３が各種画像処理の設定を行う。設定完了後にコントローラ部２０３は、読取部２０４を制御して、原稿画像を表す画像信号を取得する。コントローラ部２０３は、設定に従って画像処理を行い、画像形成用の画像信号を生成する。コントローラ部２０３は、生成した画像形成用の画像信号及び印刷部制御信号を印刷部２０５に入力する。印刷部２０５は、入力された画像信号に基づいて画像形成処理を行い、画像を形成した用紙を出力する。
【００２１】
図３は、ＭＦＰ１００のコントローラ部２０３の具体的な構成例示図である。コントローラ部２０３は、防災情報を受信した際に、防災情報の内容の保存や報知、予め登録しておいた関連情報の印刷等の処理を行う。そのためにコントローラ部２０３は、受信した防災情報を解析して、解析結果に基づいた報知形態の選択、内容の保存の実行の有無、印刷出力の有無を判断する。このような処理のためにコントローラ部２０３は、ＭＦＰ制御部３０１、キーワード解析部３１０、ヘッダ解析部３１１、受信データ格納部３１２、設定情報格納部３１３、読取画像処理部３０２、印刷画像処理部３０４、及び災害時画像格納部３０６を備える。また、コントローラ部２０３は、ＭＦＰ１００内の各部と通信するために、読取ＩＦ部３０３、印刷ＩＦ部３０５、入出力ＩＦ部３０７、及び防災情報ＩＦ部３０８を備える。
【００２２】
ＭＦＰ制御部３０１は、ＭＦＰ１００全体の動作を制御する。そのためにＭＦＰ制御部３０１は、コントローラ部２０３の各部との間で通信を行う。ＭＦＰ制御部３０１は、ＣＰＵ等の制御装置で構成される。
【００２３】
読取ＩＦ部３０３は、読取部２０４とＭＦＰ制御部３０１との間の通信を制御するインタフェースである。読取ＩＦ部３０３は、読取部２０４の動作を制御する読取部制御信号を、ＭＦＰ制御部３０１から受信して読取部２０４へ送信する。読取ＩＦ部３０３は、読取部２０４が生成した画像信号を、読取部２０４から受信して読取画像処理部３０２へ送信する。読取画像処理部３０２は、読取ＩＦ部３０３を介して読取部２０４から取得した画像信号に対して、所定の画像処理を行う。読取画像処理部３０２は、画像処理後の画像信号をＭＦＰ制御部３０１に入力する。
【００２４】
印刷ＩＦ部３０５は、印刷部２０５とＭＦＰ制御部３０１との間の通信を制御するインタフェースである。印刷ＩＦ部３０５は、印刷部２０５の動作を制御する印刷部制御信号を、ＭＦＰ制御部３０１から受信して印刷部２０５へ送信する。印刷ＩＦ部３０５は、印刷部２０５に印刷させる画像を表す画像信号を災害時画像格納部３０６及び印刷画像処理部３０４から取得して印刷部２０５へ送信する。印刷画像処理部３０４は、ＭＦＰ制御部３０１から入力される印刷対象となる画像信号に対して、所定の画像処理を行う。災害時画像格納部３０６は、防災情報受信時に印刷部２０５に印刷させる災害時画像を格納する。災害時画像格納部３０６は、ＭＦＰ制御部３０１から入力される画像選択信号により、複数の災害時画像から選択される防災情報に関連した災害時画像を印刷ＩＦ部３０５へ送信する。
【００２５】
入出力ＩＦ部３０７は、ＵＩ部２０６とＭＦＰ制御部３０１との間の通信を制御するインタフェースである。入出力ＩＦ部３０７は、ＵＩ部２０６から各種信号を受信してＭＦＰ制御部３０１へ送信する。入出力ＩＦ部３０７は、ＭＦＰ制御部３０１から、ＵＩ部２０６の動作を制御するＵＩ制御信号を受信してＵＩ部２０６へ送信する。
防災情報受信時には、ＵＩ部２０６に防災情報の重要度に応じた報知形態で防災情報の報知を行わせるためのＵＩ制御信号が、入出力ＩＦ部３０７を介してＭＦＰ制御部３０１からＵＩ部２０６へ送信される。ＵＩ部２０６は、ＵＩ制御信号に応じて、表示部による防災情報の内容の表示、スピーカによる警告音や防災情報の内容の音声出力、スピーカの音量調整、発光部の点滅制御を行う。
【００２６】
防災情報ＩＦ部３０８は、無線受信部２０２から受信データを取得してＭＦＰ制御部３０１、キーワード解析部３１０、及びヘッダ解析部３１１に入力する。
キーワード解析部３１０は、受信データと、キーワード格納部３０９に格納されたキーワードとのパターンマッチングを行い、一致したキーワードの有無を、本文情報としてＭＦＰ制御部３０１に入力する。
ヘッダ解析部３１１は、防災情報ＩＦ部３０８から受信した受信データのヘッダ部の解析を行う。ヘッダ解析部３１１は、受信データのヘッダ部に基づいて、防災情報の重要度を認識する。ヘッダ解析部３１１は、解析結果を表すヘッダ情報として、２ビットのデータをＭＦＰ制御部３０１に入力する。
【００２７】
設定情報格納部３１３は、防災情報の重要度に対応して、報知形態や、防災情報の内容を保存するか否か、印刷出力の有無等を表すデータが設定された設定情報を格納する。受信データ格納部３１２は、受信データを格納する。
【００２８】
図４は、ＭＦＰ１００のＵＩ部２０６の具体的な構成例示図である。ＵＩ部２０６は、コントローラＩＦ部４０１、ＵＩ制御部４０２、表示部４０３、ボタン、スイッチ、テンキー等のキー入力部４０４、スピーカ４０５、及び発光部４０６を備える。
【００２９】
コントローラＩＦ部４０１は、コントローラ部２０３からＵＩ制御信号を取得するインタフェースである。ＵＩ制御部４０２は、コントローラＩＦ部４０１を介して取得したＵＩ制御信号に応じて、表示部４０３、スピーカ４０５、発光部４０６の動作制御を行う。本実施形態では、ＵＩ制御部４０２は、ＵＩ制御信号に応じて表示部４０３、スピーカ４０５、発光部４０６により防災情報の報知を行う。また、ＵＩ制御部４０２は、キー入力部４０４やタッチパネルにより入力された各種の設定を表す設定信号を、コントローラＩＦ部４０１を介してコントローラ部２０３に入力する。
【００３０】
表示部４０３は、液晶パネル等のディスプレイにより構成され、文字や画像の表示を行う。キー入力部４０４は、押しボタン式のスイッチ等を使用し、電源スイッチやモード選択、テンキー等による入力を行う。キー入力部４０４の機能の一部は、タッチパネルにより代替することができる。スピーカ４０５は、キータッチ時やエラー時のビープ音等を発する音出力装置である。発光部４０６は、電源の投入、遮断時の点滅、ジャムや用紙切れ等の発生時に点灯する。
【００３１】
（防災情報のデータ構成）
図５は、防災情報に基づいて生成される受信データの説明図である。無線受信部２０２は、防災情報に含まれる内容の重要度についての情報及び内容を表す文章についての情報に基づいて、受信データを生成する。図５（ａ）は、受信データのフォーマットを例示する。受信データは、２ビットのヘッダ部及び１キロバイトの本文部から構成される。図５（ｂ）は、受信データの具体例を表す。ヘッダ部は２進数データ、本文部は例えばＪＩＳコードのようなコード化されたデータで構成される。図５（ｃ）は、ヘッダ部の値と重要度、内容、本文例の例示図である。ヘッダ部は、防災情報の内容の重要度を表す。ヘッダ部が２ビットであるため、重要度は複数、本実施形態では４段階で設定される。本文部は、防災情報の具体的な内容を表す文章を含む。
【００３２】
ヘッダ情報が、「１１」の場合、「重要度３」であり、防災情報の警戒レベルが地震や津波など、緊急性及び重要性の高いレベルであることを表す。具体的には、防災情報は、本文例にあるような「茨城県南部に震度５以上の地震が起きる可能性があります」といった内容となる。ヘッダ情報が「１０」の場合、「重要度２」であり、防災情報の警戒レベルが警報レベルであることを表す。具体的には、防災情報は、本文例にあるような「都内２３区に大雨洪水警報が出ました」といった内容となる。ヘッダ情報が「０１」の場合、「重要度１」であり、防災情報の警戒レベルが注意報レベルであることを表す。具体的には、防災情報は、本文例にあるような「本日午後は、茨城県南部の方は大雨にご注意ください」といった内容となる。ヘッダ情報が「００」の場合、「重要度０」であり、防災情報の警戒レベルがお知らせレベルであることを表す。具体的には、防災情報は、本文例にあるような「明日は区議会議員選挙の投票日です」といった内容となる。
【００３３】
（防災情報受信時の動作設定）
図６は、ＭＦＰ１００の防災情報受信時の動作を設定する処理を表すフローチャートである。ＭＦＰ１００は、ＵＩ部２０６からの入力により、防災情報の受信時の動作である報知形態を設定する。
【００３４】
ＭＦＰ１００のコントローラ部２０３は、ＵＩ部２０６から防災情報の受信時の動作設定指示が入力されると（Ｓ６０１）、ＵＩ部２０６の表示部４０３に、動作を設定する重要度を選択するための重要度選択画面を表示する（Ｓ６０２）。ユーザは、重要度選択画面から、動作を設定する重要度を選択する。
【００３５】
選択された重要度が「０」の場合（Ｓ６０３：Y）、コントローラ部２０３は、「重要度：０」の防災情報の報知形態の設定を行う（Ｓ６０４）。コントローラ部２０３は、設定結果を確認して（Ｓ６０５：Y）、「重要度：０」の防災情報の報知形態の設定を終了する。
選択された重要度が「１」の場合（Ｓ６０３：N、Ｓ６０７：Y）、コントローラ部２０３は、「重要度：１」の防災情報の報知形態の設定を行う（Ｓ６０８）。コントローラ部２０３は、設定結果を確認して（Ｓ６０８：Y）、「重要度：１」の防災情報の報知形態の設定を終了する。コントローラ部２０３は、設定結果を確認して（Ｓ６０５：Y）、「重要度：０」の防災情報の報知形態の設定を終了する。
選択された重要度が「２」の場合（Ｓ６０３：N、Ｓ６０７：N、Ｓ６１０：Y）、コントローラ部２０３は、「重要度：２」の防災情報の報知形態の設定を行う（Ｓ６１１）。コントローラ部２０３は、設定結果を確認して（Ｓ６１２：Y）、「重要度：２」の防災情報の報知形態の設定を終了する。コントローラ部２０３は、設定結果を確認して（Ｓ６０５：Y）、「重要度：０」の防災情報の報知形態の設定を終了する。
選択された重要度が「３」の場合（Ｓ６０３：N、Ｓ６０７：N、Ｓ６１０：N）、コントローラ部２０３は、「重要度：３」の防災情報の報知形態の設定を行う（Ｓ６１３）。コントローラ部２０３は、設定結果を確認して（Ｓ６１４：Y）、「重要度：３」の防災情報の報知形態の設定を終了する。コントローラ部２０３は、設定結果を確認して（Ｓ６０５：Y）、「重要度：０」の防災情報の報知形態の設定を終了する。
【００３６】
ユーザは、防災情報の報知形態の設定終了後に、重要度選択画面から、他の重要度の防災情報の報知形態を設定する場合には該他の重要度を選択し、すべての重要度の防災情報の報知形態の設定が終了している場合には、設定終了を指示する。ＵＩ部２０６から他の重要度の防災情報の報知形態の設定が指示された場合（Ｓ６０６：N）、コントローラ部２０３は、Ｓ６０３以降の処理を繰り返し行う。設定終了が指示された場合（Ｓ６０６：Y）、コントローラ部２０３は、防災情報受信時の動作設定処理を終了する。
【００３７】
図７は、各重要度の防災情報の報知形態の設定処理を表すフローチャートである。いずれの重要度でも同様の処理により設定が行われる。図８は、報知形態の設定項目の説明図である。各項目は、１ビット又は２ビットで設定状態が表される。コントローラ部２０３は、図７の設定処理により、図８に示す項目を有する各重要度の報知形態の設定情報を生成して、設定情報格納部３１３に格納する。コントローラ部２０３は、ＵＩ部２０６の表示部４０３に、各設定項目を設定するための設定画面を表示する。ユーザが設定画面に応答することで、重要度に応じた動作の設定が行われる。
【００３８】
コントローラ部２０３は、防災情報に含まれる本文の表示を行うか否かを設定する設定画面を表示部４０３に表示する。ユーザの応答に応じて、コントローラ部２０３は、設定情報の「本文表示」の項目に、「本文表示する」を表す「１」又は「本文表示しない」を表す「０」を設定する（Ｓ７０１）。
【００３９】
コントローラ部２０３は、警告音を発するか否かを設定する設定画面を表示部４０３に表示する。ユーザの応答に応じて、コントローラ部２０３は、設定情報の「警告音」の項目に、「警告音あり」を表す「１」又は「警告音なし」を表す「０」を設定する（Ｓ７０２）。
【００４０】
コントローラ部２０３は、防災情報に含まれる本文の音声通知を行うか否かを設定する設定画面を表示部４０３に表示する。ユーザの応答に応じて、コントローラ部２０３は、設定情報の「音声通知」の項目に、「音声通知する」を表す「１」又は「音声通知しない」を表す「０」を設定する（Ｓ７０３）。
【００４１】
コントローラ部２０３は、警告音及び音声通知を行う際の音量を設定する設定画面を表示部４０３に表示する。ユーザの応答に応じて、コントローラ部２０３は、設定情報の「音量」の項目に、「音量大」を表す「１１」、「音量中」を表す「１０」、「音量小」を表す「０１」、及び「音量なし」を表す「００」のいずれかを設定する（Ｓ７０４）。
【００４２】
コントローラ部２０３は、発光部４０６の発光により防災情報の受信を報知するか否かを設定する設定画面を表示部４０３に表示する。ユーザの応答に応じて、コントローラ部２０３は、設定情報の「発光」の項目に、「点滅発光する」を表す「１」又は「点滅発光しない」を表す「０」を設定する（Ｓ７０５）。
【００４３】
コントローラ部２０３は、災害時画像の印刷を行うか否かを設定する設定画面を表示部４０３に表示する。ユーザの応答に応じて、コントローラ部２０３は、設定情報の「印刷」の項目に、「印刷する」を表す「１」又は「印刷しない」を表す「０」を設定する（Ｓ７０６）。コントローラ部２０３は、印刷を行う場合（Ｓ７０７：Y）、印刷する災害時画像及び枚数を設定する設定画面を表示部４０３に表示する。ユーザの応答に応じて、コントローラ部２０３は、印刷する災害時画像のファイル名及び枚数を設定情報に設定する（Ｓ７０８、Ｓ７０９）
【００４４】
印刷を行わない場合（Ｓ７０７）、或いは印刷するファイル名及び枚数の設定が終了すると、コントローラ部２０３は、繰り返し受信時の設定処理を行って（Ｓ７１０）、重要度の設定処理を終了する。
【００４５】
図９は、防災情報を繰り返し受信するとき報知形態の設定処理を表すフローチャートである。従来、ＭＦＰ１００は、防災情報を繰り返して受信する場合に、同じ内容、重要度の防災情報であれば同じ報知形態で報知する。本実施形態では、ＭＦＰ１００は、所定の時間以内に繰り返して受信する防災情報の報知形態を変更する。図９では、その場合の報知形態の設定を行う。図１０は、繰り返し受信する防災情報の報知形態の設定項目の説明図である。各項目は、１ビット又は２ビットで設定状態が表される。コントローラ部２０３は、図９の設定処理により、図１０に示す項目を有する防災情報を繰り返し受信するときの報知形態の設定情報を生成して、設定情報格納部３１３に格納する。コントローラ部２０３は、ＵＩ部２０６の表示部４０３に、各設定項目を設定するための設定画面を表示する。ユーザが設定画面に応答することで、防災情報を繰り返し受信するときの報知形態の設定が行われる。
【００４６】
コントローラ部２０３は、防災情報に含まれる本文の表示を行うか否かを設定する設定画面を表示部４０３に表示する。ユーザの応答に応じて、コントローラ部２０３は、報知形態の設定情報の「本文表示」の項目に、「本文表示する」を表す「１」又は「本文表示しない」を表す「０」を設定する（Ｓ９０１）。
【００４７】
コントローラ部２０３は、警告音を発するか否かを設定する設定画面を表示部４０３に表示する。ユーザの応答に応じて、コントローラ部２０３は、設定情報の「警告音」の項目に、「警告音あり」を表す「１」又は「警告音なし」を表す「０」を設定する（Ｓ９０２）。
【００４８】
コントローラ部２０３は、防災情報に含まれる本文の音声通知を行うか否かを設定する設定画面を表示部４０３に表示する。ユーザの応答に応じて、コントローラ部２０３は、設定情報の「音声通知」の項目に、「音声通知する」を表す「１」又は「音声通知しない」を表す「０」を設定する（Ｓ９０３）。
【００４９】
コントローラ部２０３は、警告音及び音声通知を行う際の音量を設定する設定画面を表示部４０３に表示する。ユーザの応答に応じて、コントローラ部２０３は、設定情報の「音量」の項目に、「音量大」を表す「１１」、「音量中」を表す「１０」、「音量小」を表す「０１」、及び「音量なし」を表す「００」のいずれかを設定する（Ｓ９０４）。
【００５０】
コントローラ部２０３は、発光部４０６の発光により防災情報の受信を報知するか否かを設定する設定画面を表示部４０３に表示する。ユーザの応答に応じて、コントローラ部２０３は、設定情報の「発光」の項目に、「点滅発光する」を表す「１」又は「点滅発光しない」を表す「０」を設定する（Ｓ９０５）。
【００５１】
コントローラ部２０３は、災害時画像の印刷を行うか否かを設定する設定画面を表示部４０３に表示する。ユーザの応答に応じて、コントローラ部２０３は、設定情報の「印刷」の項目に、「印刷する」を表す「１」又は「印刷しない」を表す「０」を設定する（Ｓ９０６）。
【００５２】
コントローラ部２０３は、防災情報を繰り返し受信したと判断するための、前回の防災情報の受信からの所定の経過時間を設定する設定画面を表示部４０３に表示する。ユーザの応答に応じて、コントローラ部２０３は、設定情報の「対象時間」の項目に、「１２０分以内」を表す「１１」、「６０分以内」を表す「１０」、「３０分以内」を表す「０１」、及び「時間なし」を表す「００」のいずれかを設定する（Ｓ９０７）。
【００５３】
（防災情報受信時の動作）
図１１は、防災情報受信時のＭＦＰ１００の動作を表すフローチャートである。
【００５４】
ＭＦＰ１００は、無線受信部２０２により防災情報を受信すると（Ｓ１１０１：Y）、コントローラ部２０３により、受信した防災情報の受信データを受信データ格納部３１２に格納する（Ｓ１１０２）。コントローラ部２０３は、受信データ格納部３１２に、前回受信した防災情報の受信データが格納されているかを判断する（Ｓ１１０３）。
【００５５】
前回の受信データが格納されている場合（Ｓ１１０３：Y）、コントローラ部２０３は、今回受信した防災情報の受信データと、受信データ格納部３１２に既に格納されている前回の受信データとを比較することで、類似判定を行う（Ｓ１１０４）。類似判定処理の詳細は後述する。
【００５６】
類似判定の結果、２つの受信データが類似する場合、コントローラ部２０３は、同じ防災情報を繰り返し受信したとして、防災情報の報知形態を変更する必要があると判断する（Ｓ１１０５：Y）。コントローラ部２０３は、防災情報を繰り返し受信するとき用の図１０に示す報知形態の設定情報に基づいて、防災情報の報知を行う（Ｓ１１０６）。
【００５７】
類似判定の結果、２つの受信データが類似しない場合、コントローラ部２０３は、防災情報の報知形態を変更する必要がないと判断する（Ｓ１１０５：N）。コントローラ部２０３は、受信した防災情報の重要度に応じた図８に示す設定情報に基づいて、防災情報の報知を行う（Ｓ１１０７）。また、コントローラ部２０３は、受信データ格納部３１２に前回の受信データが格納されていない場合にも、受信した防災情報の重要度に応じた図８に示す設定情報に基づいて、防災情報の報知を行う（Ｓ１１０３：N、Ｓ１１０７）。
【００５８】
図１２は、図１１のＳ１１０４の類似判定処理を表すフローチャートである。
【００５９】
コントローラ部２０３は、今回受信した防災情報の受信データのヘッダ部を解析して、該防災情報の重要度を取得する（Ｓ１２０１）。また、コントローラ部２０３は、今回受信した防災情報の受信データの本文部を解析して、本文に含まれるキーワードを取得する（Ｓ１２０２）。コントローラ部２０３は、受信データ格納部３１２から、既に格納されている前回の受信データを取得する（Ｓ１２０３）。
【００６０】
コントローラ部２０３は、前回防災情報を受信してからの経過時間が、防災情報を繰り返し受信するとき用の図１０に示す報知形態の設定情報に設定された「対象時間」以下であるか否かを判断する（Ｓ１２０４）。
【００６１】
経過時間が「対象時間」以下の場合（Ｓ１２０４：Y）、コントローラ部２０３は、今回受信した防災情報の重要度と、前回受信した防災情報の重要度とが同じか否かを判断する（Ｓ１２０５）。重要度が同じである場合（Ｓ１２０５：Y）、コントローラ部２０３は、今回受信した防災情報の本文に含まれるキーワードと、前回受信した防災情報の本文に含まれるキーワードとが同じか否かを判断する（Ｓ１２０６）。キーワードが同じである場合（Ｓ１２０６：Y）、コントローラ部２０３は、今回受信した防災情報の受信データと、受信データ格納部３１２に既に格納されている前回の防災情報の受信データとが類似していると判断する。この場合、コントローラ部２０３は、防災情報を繰り返し受信していることを表す繰り返し受信フラグを「ＯＮ」に設定する（Ｓ１２０７）。
【００６２】
経過時間が「対象時間」より大きい場合（Ｓ１２０４：N）、コントローラ部２０３は、今回受信した防災情報の受信データと、受信データ格納部３１２に既に格納されている前回の防災情報の受信データとが類似してないと判断する。また、コントローラ部２０３は、重要度が異なる場合又はキーワードが異なる場合（Ｓ１２０５：N、又はＳ１２０６：N）にも、同様に、防災情報の受信データが類似してないと判断する。これらの場合、コントローラ部２０３は、繰り返し受信フラグを「ＯＦＦ」に設定する（Ｓ１２０８）。
【００６３】
このようにコントローラ部２０３は、２つの受信データの類似性を判断し、その結果を繰り返し受信フラグの状態により表して、類似判定処理を終了する。図１３は、Ｓ１２０６の処理で判断の対象となるキーワードの例示図である。
【００６４】
キーワードは、「災害情報」、「地域情報」、「行動情報」の３つに分類される。「災害情報」は、例えば、「地震・津波・大雨・強風・竜巻・洪水・波浪・高潮」、「特別警報・警報・注意報」をキーワードとする。「地域情報」は、例えば、「都内・多摩地区・埼玉県南部・埼玉県北部・茨城県南部・茨城県北部」、市町村名、地区名をキーワードとする。「行動情報」は、例えば「避難・警戒・注意」をキーワードとする。各キーワードは、シフトＪＩＳコードとして、キーワード格納部３０９に格納される。なお、キーワードは、例えば図６の防災情報受信時の動作を設定するための処理時に追加して登録されてもよい。
【００６５】
（防災情報受信時の動作例１）
図１４は、防災情報を繰り返し受信するときのタイミングチャートである。図１４では、時間の経過とともに、同じ内容の防災情報を３回受信する場合を例に説明する。１回目から２回目までの経過時間は１５分、２回目から３回目までの経過時間は３０分である。各防災情報は、重要度が「２」である。重要度が「２」のときの報知形態の設定情報の各項目は、「本文表示する」、「警告音あり」、「音声通知する」、「音量中」、「点滅発光する」、「印刷する」に設定される。防災情報を繰り返し受信するときの報知形態の設定情報の各項目は、「本文表示する」、「警告音あり」、「音声通知する」、「音量中」、「点滅発光する」、「印刷しない」に設定される。また、「対象時間」は６０分以内に設定されている。
【００６６】
図１５は、図１４で受信する防災情報の表示部４０３への表示例示図である。この防災情報は、キーワードとして、「災害情報」分類で「大雨」と「警報」、「地域情報」分類で「茨城県南部」と「○○市」と「□□地区」、「行動情報」分類で「警戒」を含む。
【００６７】
ＭＦＰ１００は、１回目の防災情報の受信のときに、重要度が「２」のときの報知形態の設定情報に基づいて防災情報の報知を行う。この場合、「印刷する」が設定されているために、ＭＦＰ１００は、災害時画像格納部３０６から重要度が「２」のときの報知形態の設定情報で設定されているファイル名の災害時画像を、設定されている枚数だけ印刷出力する。ＭＦＰ１００は、例えば避難ルートを表す地図を印刷出力する。
【００６８】
ＭＦＰ１００は、２回目の防災情報の受信のときに、まず、受信データ格納部３１２に前回の受信データが格納されているかを判定する（図１１のＳ１１０３）。２回目の防災情報の受信であるため、ＭＦＰ１００は、類似判定処理を行う（Ｓ１１０３：Y）。ＭＦＰ１００は、類似判定処理により、前回の防災情報の受信からの経過時間が対象時間以内であるか否かを判断する（図１２のＳ１２０４）。２回目の防災情報の受信が、１回目の防災情報の受信から１５分後であるため、ＭＦＰ１００は、前回の防災情報の受信からの経過時間が対象時間以内であると判断する（Ｓ１２０４：Y）。
【００６９】
ＭＦＰ１００は、重要度及びキーワードを比較して、同じ内容の防災情報を繰り返し受信したかを判断する。ここでは、ＭＦＰ１００は、重要度が同じ「２」であり、キーワードも同じで且つキーワードの増減がないことから、同じ内容の防災情報を繰り返し受信したと判断する（Ｓ１２０５：Y、Ｓ１２０６：Y）。ＭＦＰ１００は、繰り返し受信フラグを「ＯＮ」に設定する（Ｓ１２０７）。
【００７０】
したがってＭＦＰ１００は、２回目の防災情報を、防災情報を繰り返し受信するときの報知形態の設定情報に基づいて報知する。この設定情報では、「印刷しない」が設定されているために、ＭＦＰ１００は、災害時画像格納部３０６に格納された災害時画像の印刷出力を行わない。
【００７１】
ＭＦＰ１００は、３回目の防災情報の受信のときにも２回目の受信のときと同様の処理を行う。受信データ格納部３１２に前回の受信データが格納され、２回目の防災情報の受信からの経過時間が３０分であり、重要度及びキーワードが同じである。そのためにＭＦＰ１００は、繰り返し受信するときの報知形態の設定情報に基づいて防災情報の報知を行う。
【００７２】
（防災情報受信時の動作例２）
図１６は、防災情報を繰り返し受信するときの他の例のタイミングチャートである。図１６では、時間の経過とともに、１５分間隔で防災情報を５回受信する場合を例に説明する。各防災情報は、重要度が「２」である。重要度が「２」のときの報知形態の設定情報の各項目は、「本文表示する」、「警告音なし」、「音声通知しない」、「音量なし」、「点滅発光する」、「印刷しない」に設定される。防災情報を繰り返し受信するときの報知形態の設定情報の各項目は、「本文表示しない」、「警告音なし」、「音声通知しない」、「音量なし」、「点滅発光する」、「印刷しない」に設定される。また、「対象時間」は３０分以内に設定されている。
【００７３】
図１７は、図１６で受信する防災情報の表示部４０３への表示例示図である。図１７（ａ）では、防災情報が、キーワードとして、「災害情報」分類で「大雨」と「警報」、「地域情報」分類で「茨城県南部」と「○○市」と「□□地区」、「行動情報」分類で「警戒」を含む。図１７（ａ）の防災情報は、１〜３回目に配信される。図１７（ｂ）では、防災情報が、キーワードとして、「災害情報」分類で「大雨」と「警報」、「地域情報」分類で「茨城県南部」と「○○市」と「□□地区」と「△△地区」、「行動情報」分類で「警戒」を含む。図１７（ｂ）の防災情報は、４、５回目に配信される。
【００７４】
ＭＦＰ１００は、１回目の防災情報の受信のときに、重要度が「２」のときの報知形態の設定情報に基づいて防災情報の報知を行う。この場合、「印刷しない」が設定されているために、ＭＦＰ１００は、印刷出力を行わない。
【００７５】
ＭＦＰ１００は、２回目の防災情報の受信のときに、まず、受信データ格納部３１２に前回の受信データが格納されているかを判定する（図１１のＳ１１０３）。２回目の防災情報の受信であるため、ＭＦＰ１００は、類似判定処理を行う（Ｓ１１０３：Y）。ＭＦＰ１００は、類似判定処理により、前回の防災情報の受信からの経過時間が対象時間以内であるか否かを判断する（図１２のＳ１２０４）。２回目の防災情報の受信が、１回目の防災情報の受信から１５分後であるため、ＭＦＰ１００は、前回の防災情報の受信からの経過時間が対象時間以内であると判断する（Ｓ１２０４：Y）。
【００７６】
ＭＦＰ１００は、重要度及びキーワードを比較して、同じ内容の防災情報を繰り返し受信したかを判断する。ここでは、ＭＦＰ１００は、重要度が同じ「２」であり、キーワードも同じで且つキーワードの増減がないことから、同じ内容の防災情報を繰り返し受信したと判断する（Ｓ１２０５：Y、Ｓ１２０６：Y）。ＭＦＰ１００は、繰り返し受信フラグを「ＯＮ」に設定する（Ｓ１２０７）。
【００７７】
したがってＭＦＰ１００は、２回目の防災情報を、防災情報を繰り返し受信するときの報知形態の設定情報に基づいて報知する。この設定情報では、「本文表示しない」が設定されているために、ＭＦＰ１００は、表示部４０３への表示を行わない。
【００７８】
ＭＦＰ１００は、３回目の防災情報の受信のときにも２回目の受信のときと同様の処理を行う。受信データ格納部３１２に前回の受信データが格納され、２回目の防災情報の受信からの経過時間が１５分であり、重要度及びキーワードが同じである。そのためにＭＦＰ１００は、繰り返し受信するときの報知形態の設定情報に基づいて防災情報の報知を行う。
【００７９】
ＭＦＰ１００は、４回目の防災情報の受信のときにも２回目、３回目の受信のときと同様の処理を行う。受信データ格納部３１２に前回の受信データが格納され、２回目の防災情報の受信からの経過時間が１５分であり、重要度が同じである。しかし、キーワードが異なる。具体的には、キーワード「△△地区」が増えている。そのためにＭＦＰ１００は、繰り返し受信フラグを「ＯＦＦ」に設定する（Ｓ１２０８）。ＭＦＰ１００は、前回の受信データと今回の受信データとの差異に応じて、防災情報の報知形態を変更する。ここでは、防災情報の３回目の受信のときの報知形態の設定情報を変更する例を説明するが、４回目に受信した防災情報の重要度に応じた報知形態の設定情報を変更するようにしてもよい。
【００８０】
図１６の例では、ＭＦＰ１００は、４回目の防災情報の報知形態の設定情報を、「本文表示する」、「警告音あり」、「音声通知する」、「音量中」、「点滅発光する」、「印刷しない」に変更する。ＭＦＰ１００は、変更した報知形態の設定情報に基づいて４回目に受信した防災情報の報知を行う。変更する設定情報の項目は、例えば前回の受信データとの差異に応じて決められる。例えば重要度が上がった場合やキーワードが増えた場合には、ユーザに広く報知されるように設定情報が変更される。
【００８１】
ＭＦＰ１００は、５回目の防災情報の受信のときには、２回目、３回目の防災情報の受信のときと同様の処理を行う。受信データ格納部３１２に前回の受信データが格納され、４回目の防災情報の受信からの経過時間が１５分であり、重要度及びキーワードが同じである。そのためにＭＦＰ１００は、防災情報を繰り返し受信するときの報知形態の設定情報に基づいて防災情報の報知を行う。
【００８２】
以上のように本実施形態のＭＦＰ１００は、重要度及び本文部の内容が同じ防災情報を繰り返し受信する場合、防災情報の報知形態を変更する。これにより、例えば防災情報を印刷出力するような場合であっても、繰り返して防災情報を受信する場合には印刷出力を停止することができる。そのために、ＭＦＰ１００は、無駄な印刷動作を行わず、用紙やトナー等の資源の消費を抑制することができる。また、ＭＦＰ１００は、繰り返して受信する防災情報の内容に変化が生じた場合に、予め設定された防災情報の報知形態とは異なる報知形態に、適宜変更することができる。
【００８３】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2017098597.tif 000003
【図２】
2017098597.tif 000004
【図３】
2017098597.tif 000005
【図４】
2017098597.tif 000006
【図５】
2017098597.tif 000007
【図６】
2017098597.tif 000008
【図７】
2017098597.tif 000009
【図８】
2017098597.tif 000010
【図９】
2017098597.tif 000011
【図１０】
2017098597.tif 000012
【図１１】
2017098597.tif 000013
【図１２】
2017098597.tif 000014
【図１３】
2017098597.tif 000015
【図１４】
2017098597.tif 000016
【図１５】
2017098597.tif 000017
【図１６】
2017098597.tif 000018
【図１７】
2017098597.tif 000019